(57)【特許請求の範囲】
【請求項１】
草の抜き取り作業を行う草取り装置において、回転円板（１）をささえ棒（１８）に並列に配設して回転円板（１）に隣接するように回転補助羽根（１５）を設けこれを骨子構造とし、前記回転円板（１）と回転補助羽根（１５）とに適切な間隔を生成させる為間に幅軸（１３）が形成され、前記骨子構造で草や野菜を後方に移動させる落とし部（４）が形成された事を特徴とする、手を汚さない草取り装置。
【請求項２】
回転円板（１）の隣におさえ壁面（１４）を形成した事を特徴とする、請求項１記載の手を汚さない草取り装置。
【請求項３】
回転円板（１）の先端や側面に外方向へ開いた草導入傾斜部（１２）あるいは凹凸や部材などで引っかけを形成した事を特徴とする、請求項１または請求項２記載の手を汚さない草取り装置。
【請求項４】
回転円板（１）あるいは回転補助羽根（１５）の端部にすべり止め及び幅寄せを設けた事を特徴とする請求項１または請求項２または請求項３記載の手を汚さない草取り装置。
【発明の詳細な説明】
【０００１】
【発明の属する技術分野】
この発明は、幅寄せやすべり止め等を有する草取り部や回転円板を、電動やエンジン等で回転させ、草をしっかりつかんで抜き取り、さらに、抜けきらない草を切り取って、それらの草をひとまとめに集める、草取り装置に関するものである。
【０００２】
【従来の技術】
従来の草取りは、手で草を掴んで抜いたり、ふたまたの金具やクシ状の金具を、土の中に挿入し、テコを利用し根を引っ掛け、その後手で抜いたり、あるいはカマで草を刈ったり等、少しずつ手を汚しながら、ひざを曲げての動作を暑い夏場に主に行わなければならなかった。出来る範囲も時間も限度があり、大変な重労働である。且つ、畑や田んぼでの除草時にあっても、草を「抜く」と言う特定の機能を持った機械がなく、稲作時の田んぼには、除草剤を撤いたり、あるいは高値の機械で土中に埋め込んだり、又、畑などの除草は「田の草取り機」と言う機具を使い土中の根を撹拌し、除草というよりは、根を掘り起こして前に進むと言う機械で、いずれも雑草はそのまま残される。
畑の場合は、その後にすぐ種を植えようとすると、その雑草を除いて行わなければならず、二度手間である。そして、その後の畑の雑草は大変なものであり、野菜が育つまで、何度もカマ等で取ったり、クワ等で雑草を掘り起こしたり、あるいは除草剤を撒いたりして対処し、その作業は費用も労力も大変である。
【０００３】
【発明が解決しようとする課題】
雑草を抜くとき、主婦は手で根元を掴み、上に持ち上げて抜く。
つまり根元がいちばん丈夫で掴み易く、同時にほとんど根までも一緒についてくる。本発明は、その根元をしっかり掴んで、回転力で抜き取る装置を提供しようとする。
本発明は立ったままの状態で、ハンドルを押すだけで手を汚さず短時間に除草し、それらをひとまとめに処理し、どんな範囲の雑草も素早く楽に除草しようとするものである。
そして雑草抜きばかりでなく、従来人の手で行っている、野菜などの収穫や疎抜きなどを担う装置を提供しようとするものである。
【０００４】
【課題を解決するための手段】
いま、その構成を説明すると
（イ）  ささえ棒（１８）に、一定の間隔を保持するための幅軸（１３）を設けた回転円板（１）に隣接するように回転補助羽根（１５）を並列に並べる。
（ロ）  回転円板（１）の一部を外側に開いた草導入傾斜部（１２）として形成する。
（ハ）  上記（イ）（ロ）に基づく構成部分を、左右の側面から覆うおさえ部（１１）を設ける。
（ニ）  上記（イ）（ロ）（ハ）の構成部分をささえ、誘導する補助車（１０）及び車（５ｂ）を設け、又集め部の下方に車（５ａ）を設ける。
（ホ）  落とし部（４）を、前記回転円板（１）あるいは回転補助羽根（１５）との回転する端部が通過可能なように、全体の後方よりに、クシ状の落とし部（４）を形成し、更にその後方に、取り込まれた草を収容するための集め部（７）を形成する。
以上の構成からなる、手を汚さない草取り装置である。
【０００５】
【発明の実施の形態】
（イ）  本発明は、車軸となるささえ棒（１８）あるいは回転軸（６）に軸支された回転円板（１）と回転補助羽根（１５）（図３）並びに、抜き取られた草を収納する集め部（７）（図２）とから成り、前記  回転円板（１）と回転補助羽根（１５）が、並列に配設された両側に、更におさえ部（１１）を形成し、このおさえ部（１１）の上方から回転部分を覆うように補助蓋（９）（図１）を設け、更に、補助車（１０）と、ハンドル（８）を形成してなる手を汚さない草取り装置である。
（ロ）  次に実施時の本発明の形態について、図を参照しつつ説明すれば、図１は、本発明を使用している状態を示す側面図である。前方（図左方向）下部に本発明の骨子構造（回転円板（１）あるいは回転補助羽根（１５）による構成）を、左右の方向からおさえているおさえ部（１１）があり（これは両側に形成される）、この下に補助車（１０）、更に後方に車（５ｂ）が形成されている。おさえ部（１１）の上には危険防止のため、あるいは、抜き取った草が飛び散らないための補助蓋（９）が形成され、前記車（５ｂ）のさらに後方には、本発明の骨子構造により抜き取られた草を収納するための箱型の集め部（７）が形成されその下部に車（５ａ）を設け、この集め部（７）の上方に位置するように、全体を移動させるためのハンドル（８）が形成される。
（ハ）  図３は、本発明の骨子構造を拡大したもので、その左側のみを表現した図であり、おさえ部（１１）と骨子構造の間に磨耗防止部（２０ａ）（２０ｂ）を設け、さらに地面に近いおさえ部（１１）底面を内側方向への、傾斜を持つように形成することで、前記骨子構造における、回転円板（１）あるいは回転補助羽根（１５）の間隔を狭め、草を掴み易い構造を表している。そして、幅軸（１３）と幅寄せ部（３ａ）とを一体化した回転円板（１）と回転補助羽根（１５）が、ささえ棒（１８）に軸支された構造である。これを更に説明すると、凹凸を有する幅軸（１３）がお互い噛み合い回転し、回転補助羽根（１５）の先端に近い所の、突起状の幅寄せ部（３ａ）の影響で回転円板（１）同士の間隔を狭め、草をしっかり掴む構造である。
（ニ）  次に本発明の図４を参照しつつ説明すると、回転ギア（１６）に連結したおさえ壁面（１４）に隣接するように回転円板（１）を形成し、これをささえるささえ棒（１８）を通して形成し、カムを利用して作動する一部透視の実施例を示す構造である。
次に、本発明の個々の構成要素について述べれば
【０００６】
本発明を構成する「ささえ棒」について述べると、回転円板（１）回転補助羽根（１５）、及び幅軸（１３）を軸支する棒状からなる。
（イ）  回転円板（１）、あるいは回転補助羽根（１５）の中心付近に、一定間隔を保持した、複数本からなるささえ棒（１８）に、骨子構造を遊挿し、その左右双方、又は左、右の片側のいずれかの終端に回転ギア（１６）を連結する構成からなる。この回転ギア（１６）の回転によって複数本のささえ棒（１８）が回転円板（１）、及び回転補助羽根（１５）を、よりしっかり回転させることを可能にする。
（ロ）  尚、ささえ棒（１８）は（イ）によらず、一本でも可能であり、回転させるばかりでなく、単に回転円板（１）、回転補助羽根（１５）、幅軸（１３）及び回転軸（６）等を軸支する役割も担う。
（ハ）油圧、空圧等での作動も考えられ、ささえ棒（１８）は必須とは限らない。
（ニ）後記の回転軸（６）とささえ棒（１８）は骨子構造を、作動させる目的を果たすもので構成要素の応用であり区別する物ではない。
【０００７】
本発明を構成する回転軸（６）を回転ギア（１６）に連結する。
（イ）  回転軸（６）に凹凸や部材をつけ、回転円板（１）、回転補助羽根（１５）及び幅軸（１３）が、これらの凹凸や部材によって、回転する構成からなる。
（ロ）  尚、回転軸（６）に回転補助羽根（１５）、及び幅軸（１３）を一体化することも考えられる。
（ハ）  骨子構造を作動させる運動は回転ギアばかりでなくカムやベルト、チェーン等を利用して回転はもちろん半回転（又は心要角度回転）や上下運動させる構造にすることも考えられる。
【０００８】
本発明を構成する「幅軸」について述べると、回転円板（１）、及び回転補助羽根（１５）との間を一定の間隔に保つため、幅軸（１３）を設ける。
（イ）  その形状は、図３に示すように、回転円板（１）、あるいは回転補助羽根（１５）の、各々の長さ方向の中央付近に、凹凸や部材を一体として形成したり、又、回転円板（１）や回転補助羽根（１５）とは別に、幅軸（１３）を単独につけたりして形成する。これらの幅軸（１３）は、回転円板（１）等の中心付近から表裏両側に形成しても良いし、回転軸（６）に一体化しても良い。
（ロ）  又、図３のように幅軸（１３）と次に来る幅軸（１３）の間が、凹凸や部材で相互が噛み合い、片側の幅軸（１３）の回転で次に来る幅軸（１３）が連動して回転する構成にしても良く、その場合、これらの連結された幅軸（１３）の中央に、ささえ棒（１８）を通す形状にする事で、幅軸（１３）は安定する。尚、幅軸（１３）を回転させるためには、回転ギア（１６）の側面に凹凸をつけ、その凹凸に連動するように凹凸を有する幅軸（１３）が噛み合い、回転ギア（１６）の回転で幅軸（１３）が連動するようにすると良い。
（ハ）  幅軸（１３）は、構成上必須のものではなく、例として図４のように、おさえ壁面（１４）の隣を回転円板（１）が左右に往復運動する構造の実施例にあっては、幅軸（１３）がない形態にするのが望ましい。
【０００９】
本発明を構成する「おさえ部」について述べると、回転円板（１）及び、回転補助羽根（１５）の両側（両隣）に、おさえ部（１１）を形成する。
（イ）  図２を参照し説明すると、図中、左右のおさえ部（１１）を表現するうち、右側は透過状態にて表現しており、回転ギア（１６）に連結された、ささえ棒（１８）回転軸（６）を両側でささえ固定する役目を担っており、地面に平行に形成される。尚、回転ギア（１６）は、骨子構造の左右に限らず骨子構造全体の中央部分に設ける構造にしても良い。
（ロ）  又、草をしっかり抜き取る為、地面に近いおさえ部（１１）の底面を、内側方向へ傾斜させた幅寄せ部（３ｂ）として形成することにより、両おさえ部（１１）間の間隔が狭まる。つまり回転円板（１）や回転補助羽根（１５）の間隔が狭まり、抜き取り効果に力を発揮する。幅寄せ部（３ｂ）は、各おさえ部（１１）いずれか一方だけに設ける構成としても良い。おさえ部（１１）は前記（イ）のように単に回転軸（６）やささえ棒（１８）をささえる形状の場合は、幅寄せ部（３ｂ）は必須とはならないのでおさえ部（１１）の形状は図２、図３に示すものばかりとは限らない。
（ハ）  又、各おさえ部（１１）の片側を開閉自在の構造とすると、骨子構造部分の掃除が楽である。
（ニ）  おさえ部（１１）の両側が、内部の度重なる回転によって先端方向がより開口状態とならないように、両側を止め具でしっかり固定すると良い。
【００１０】
本発明を構成する回転円板（１）、あるいは回転補助羽根（１５）をささえ棒（１８）に並列に並べる（請求項１記載）。
（イ）回転円板（１）の開閉を誘導、又はより確実に草を掴む為必須部材となる凹凸部を有する幅寄せを設けた回転補助羽根（１５）を回転円板（１）に隣接するように設け、回転円板（１）の作動を強引に誘導あるいは補助するものであるが、回転補助羽根（１５）の方にも草が入り込む事も考えられ、回転補助羽根（１５）が回転円板（１）の役割を担うことも有り得る。
（ロ）  回転円板（１）、及び回転補助羽根（１５）は、草を挟む目的を果たすのに必要なもので、これらはお互いに協力し合う関係であるのが望ましい。単独で充分な形状であれば単独でも可能であり、回転補助羽根（１５）は必須とは限らない。
（ハ）  前記の回転円板（１）、及び回転補助羽根（１５）の形状はＳ字型、Ｔ字型、Ｈ字型、Ｚ字型、円形、楕円形、三角、四角、弓状、プロペラ状、らせん状、鋸歯状、ひねり型等の変形や、これらの形状の表面や側面に凹凸や厚みの変化、あるいは傾斜、溝や部材又野菜等の収穫には品質を損ねない為、空圧、油圧等の方法も考えられ、それに合った形状等も考えられるが、これらに固執しない。
【００１１】
本発明を構成する請求項４記載の「滑り止め」「幅寄せ」について図３を参照しつつ述べると、回転円板（１）、あるいは回転補助羽根（１５）の一部に、滑り止め部（２）や幅寄せ部（３ａ）を設ける
（イ）  滑り止め部（２）にあっては、掴んだ草をしっかり抜けないようにするもので、回転円板（１）あるいは回転補助羽根（１５）の一部に、部材や凹凸、あるいは溝や傾斜等をつける構成とする。
（ロ）  幅寄せ部（３ａ）については、回転円板（１）で掴んだ草をより強く掴ませようと手助けするもので、回転補助羽根（１５）の先端付近、又は側面等に凹凸や弾力性のある部材等をつけるものとし、回転円板（１）や回転補助羽根（１５）の表裏両面をまたぐ形状でも良い。又、必然的に幅寄せ部（３ａ）側にも草は入るので、幅寄せ部（３ａ）と滑り止め部（２）はいずれかひとつの形態で双方の役割を担わせることも可能である。
（ハ）  幅寄せとは、回転円板（１）同士の間隔を狭め、挟んだ草をしっかり掴ませようとするものであり、このための技法として、ささえ棒（１８）をその中央よりに湾曲させた曲面構造（カーブ）に形成する（図５）。
（ニ）  尚且つ幅寄せを確実にするための手段として、地面の固さそして草や野菜の種類など、状況は様々なので、それらに合わせて骨子構造の内側間隔を調節可能にする構造も考えられる。その方法として、右側の部おさえ（１１）や左側のおさえ部（１１）に幅寄せ部（３ａ）を設けたり、又ネジ止めや部材などで左右移動可能にしたりして、調節可能にすることが考えられる。幅寄せを自在に固定することによって挟む強度の調節が可能になり、種々の状況に対応できる。
（ホ）  幅寄せ（滑り止め）の役割は草をしっかり掴む為のもので目的を果たす物であれば、これらの構成に限定されない。
（ヘ）  尚、他の幅寄せの方法として、ばねやカムを利用したり、油圧式、エアー式、ワイヤーブレーキ式等も考えられる。
【００１２】
本発明を構成する「草導入傾斜部」について述べると、回転円板（１）の表面、又は側面の一部に、草導入傾斜部（１２）を設ける（請求項３記載）。
（イ）  回転円板（１）、の先端を、外方向へ開いた状態に形成した部位を、本発明においては草導入傾斜部（１２）と指称する。これらは草を入り易くし、且つ、誤って草以外の石類を拾い上げない為の予防壁の役割も果たす。
（ロ）  更に、草導入傾斜部（１２）の一部を刃状にすると、回転円板（１）や回転補助羽根（１５）によって草を挟みながら根元近くで切除可能となる。又、別に刃状の部材を草導入傾斜部（１２）、回転円板（１）、及び回転補助羽根（１５）の一部に設けても良い。
【００１３】
本発明にあっては、骨子構造部分によって切除しきれない草を抜き易くするため、回転円板（１）の下部後方よりのおさえ部（１１）の一部に地面に近い場所に切除刃（２２）を設けることが考えられる。
（イ）  図６を参照しつつこの実施例について説明すると、回転円板（１）や回転補助羽根（１５）の回転、又は左右の往復作動時にそれらに接触しないように、集め部（７）よりで地面に近い所に切除刃（２２）を設ける。その形状はバリカン状で、２枚の連続した刃状が噛み合う事によって、抜き取れない草を根元近くで確実に切除しようとするものである。
又、装置本体の先端が、刃状になるように、横に並べたりあるいは回転刃にすることも考えられる。
（ロ）  野菜の収穫など、用途や種類に応じて切除刃（２２）は落とし部（４）近辺に設置したほうが良い場合も考えられ、地面に近いところばかりとは限らない。
【００１４】
本発明を構成する「磨耗防止部」について述べると、おさえ部（１１）の内側か、別におさえ部（１１）と骨子構造の間に、磨耗防止部（２０ａ）、磨耗防止部（２０ｂ）を設ける。
（イ）  その形状を図５を参照して説明すると、輪形状の磨耗防止部（２０ｂ）に球状を一定間隔で保持し配設する。磨耗防止部（２０ｂ）に平面の磨耗防止部（２０ａ）が隣接した時、球状と平面なので、抵抗が少なく磨耗しにくく、骨子構造が作動するのにスムーズに行く。球状は磨耗防止部（２０ｂ）に固定しても良いし、球状が自由に動く構成にしても良く、形状も球状ばかりではなく、凹凸や部材を設けても良い。
磨耗しにくい部材なら、お互いに隣接する面は、平面状でも可能である、尚その形状はこれに限らない。
（ロ）  輪形状の磨耗防止部（２０ｂ）や、磨耗防止部（２０ａ）を、おさえ壁面（１１）に固定しても良く、あるいは回転円板（１）回転補助羽根（１５）、幅軸（１３）、回転ギア（１６）、おさえ部（１１）、あるいは回転軸（６）の側面や一部に突起状を設け、磨耗防止部（２０ａ）や磨耗防止部（２０ｂ）の輪形状の内側に、この突起状を挿入して不安定な輪形状を安定させる構成でも良い。
【００１５】
本発明を構成する回転円板（１）の他の実施例として、それぞれの先端部分、あるいは表面や側面に凹凸や部材等をつけた、引っ掛けを有する形状とする（請求項３記載）。
（イ）  この形状を使用すると、草の根元や土中の根を引っ掛けて、尚且つ本発明の作動で、茎の所を挟んで抜き取るので、土が柔らかい畑の除草に最適である。
広い範囲の除草では、補助車（１０）、車（５ａ）、車（５ｂ）、ハンドル（８）等と分離した、骨子構造部分（図３）、おさえ部（１１）落とし部（４）、また図６に示す切除刃（２２）等を耕運機やトラクターの先端や下部等に設置することによって、解決できる。
（ロ）  その形状は使用途に応じた形状にすることが考えられ農作物等の収穫には、目的に応じて鍬型等に形成することも考えられる。
（ハ）  又、水を張った田んぼの稲作時の除草は、前記のように、骨子構造部分と落とし部（４）あるいは、集め部（７）を一体とした装置を、先端が上に反ったスキー板状の部品の上部や後部に履かせる構成とすると、水田での進行が楽である。
【００１６】
本発明を構成する「おさえ壁面」について述べると、ささえ棒（１８）に垂直方向に並んだ壁状をおさえ壁面（１４）と指称する（請求項２記載）。
（イ）  図４を参照して説明すると、回転ギア（１６）に連結された壁状からなるおさえ壁面（１４）を設け、回転円板（１）が、これに平行に並び、そのおさえ壁面（１４）の隣を回転円板（１）が左右に往復運動する構成とする。
（ロ）  おさえ壁面（１４）の形状は、回転円板（１）に添った形状が望ましい。尚、油圧、空圧等での使用も考えられ、ささえ棒（１８）、回転補助羽根（１５）は必須とは限らない。
（ハ）  又、おさえ壁面（１４）に、滑り止め部（２）や幅寄せ部（３ａ）、草導入傾斜部（１２）の引っ掛けを設けても良い。
【００１７】
本発明を構成する「落とし部」を図２を参照して述べると、回転円板（１）や回転補助羽根（１５）の間や先端付近の集め部（７）側におさえ部（１１）又は集め部（７）の一部や両側に落とし部（４）を設ける。
（イ）  この落とし部（４）は、回転円板（１）や回転補助羽根（１５）で草を抜き取った後、それらに絡んだ草を取り除き、次の草取り動作を有意義にするものである。その形状は図２に示すように横に並んだ回転円板（１）や回転補助羽根（１５）が、回転時に余裕を持って通過し、又、回転し易いように全体の横幅を形成するクシ状にすることが望ましい。横板状の表面に植毛部を設けて、全体をハケのように形成することも可能であり、その形状はこれら限りではない。
（ロ）  又、回転ギア（１６）等を利用して、自動的に落とし部（４）を回転させて、強引に後方に押しやることも考えられる。
【００１８】
本発明を構成する「集め部」を図２を参照しつつ述べると、前記回転円板（１）あるいは回転補助羽根（１５）の作動で押しやられた草が、落とし部（４）によって押しやられた後、その草を集積するための箱体である。集め部（７）は除草後の仕事を楽にしようとするもので、図１のように落とし部（４）よりを高くして、後方を低くすると、押しやられた草は滑りやすくなるので、後方に草は集まり処理が楽になる。別例として集め部（７）の入口にゴミ袋を引っ掛ける止め具か、又リング状にゴミ袋を止めるように装置すれば、一杯になったゴミ袋をそのまま処理出来るので更に楽であり、箱状を形成せずに、袋だけにすれば場所もとらない。（この場合、車（５ａ）は必須とはならない。）応用として、集め部（７）の中に中箱を設置すれば、除草後、中箱だけ持って抜いた草を処理出来るのでこれも便利である。
【００１９】
本発明を構成する両側のおさえ部（１１）の底部から、地面に延設するように、コケ抜き防止（１７）を設ける。
（イ）  図６のように回転円板（１）や回転補助羽根（１５）が作動時に邪魔にならない間隔を維持するクシ状とすることが望ましいが、クシ状には固執せずに横板状の上下部、又は側面に、凹凸やハケ状の部材をつけて形成することも可能でありその形状はこれらに限らない。又、コケ抜き防止部（１７）の先端は、スキー板のように上に反った形状が望ましい。
（ロ）  尚、コケ抜き防止（１７）は着脱自在で、高さ調節可能にすると、様々の状況に対応できる。そして、前記コケ抜き防止部（１７）は、草を抜いた後の余分な土を落とす役割も担うので、設置位置は地面に近い場所とは限らず落とし部▲４▼近辺に設ける事も考えられる。又回転ギアを利用して強引に土を落とす構造にすることも可能である。
（ハ）  おさえ部底面（２１）の後方や、後方下部に、着脱自在になるローラー（１９）をつけることも考えられる。除草時その近辺のコケが多少浮くので、その後でローラー（１９）が回転し、コケを地に押しやるので便利である。
ローラー（１９）の部材は、多少弾力性のあるものが望ましいが、これに限らない。
【００２０】
本発明を構成する回転円板（１）や回転補助羽根（１５）の全般の作動部材の上部に覆いかぶさるように補助蓋（９）を設ける。これは作動時の危険防止、土と草が散らばらない役割を担うものであり、又補助蓋（９）は開閉、あるいは着脱自在の構造とすると骨子構造近辺の掃除が楽である。
【００２１】
本発明を構成する「補助車」を図１を参照して述べると、おさえ部（１１）の左右両側の外側や下部に、全体を運び誘導する補助車（１０）を設ける。
おさえ部（１１）（骨子構造部分）と補助車（１０）との間隔を調節可能に形成する。その形状は、補助車（１０）の上部、又はおさえ部（１１）の一部に数段階に穴を開けた金具で、ネジ止め等で固定することも考えられるが、調節可能であれば、これに限らない。尚、トラクターや耕運機などの先端や下部に本発明の装置を設ける時などは補助車（１０）は無くても良い。
【００２２】
本発明を構成するおさえ部（１１）の後方に、車（５ｂ）、そして集め部（７）の下方に車（５ａ）を設ける。
（イ）  本発明は電動等による駆動を前提としているが、これを手動による構造とすることも可能であり、この場合には車（５ｂ）の回転で、回転円板（１）や回転補助羽根（１５）等を逆回転させる。つまり、ささえ棒（１８）、回転軸（６）に軸支された回転円板（１）及び回転補助羽根（１５）をギア等によって車（５ｂ）の回転方向とは逆の回転（逆回転）をさせて、草を挟み抜き取るので、これら骨子構造を作動させるための車（５ｂ）に力量が必要であり、その為に車（５ｂ）に凹凸や溝、釘状の突起状を設けたり、タイヤの表面を広い面積にすることも有効である。
（ロ）  車（５ａ）は集め部（７）を搬送する役割を果たすものである。
【００２３】
本発明を構成する車（５ａ）車（５ｂ）や、補助車（１０）を移動させるハンドル（８）を設ける。ハンドル（８）の角度や高さは、変えられる様にしても良いし固定しても良い。尚、ハンドルの形状は本装置の大小により異なるので図１、図２とは限らない。
【００２４】
【発明の効果】
次から次へと生える雑草を電動やエンジン等の動力、又は手動で作動する本発明の手をよごさない草取り機装置を使い、用途に応じて装置全体の大きさを変えたり、庭園等の狭い所の草取りや、広い所の草取りの作業も広範囲に可能である。
公園や田畑、果樹園等の除草、運動場や道路の中央分離帯の広範囲の除草も、短時間に手を汚さず抜き取り、抜いた後の処理も同時にすることができる。
その使用途は、雑草取りばかりでなく野菜の収穫はもちろん、おろ抜きなど広範囲の農作業にも使用できる。
【図面の簡単な説明】
【図１】本発明の使用状態を示す側面図
【図２】本発明の補助蓋（９）をはずし上から見た平面図、一部拡大図
【図３】本発明の回転部分の拡大平面図
【図４】本発明のおさえ壁面（１４）に並列に並んだ回転円板（１）の回転部分を透過状態にした拡大平面図
【図５】本発明の中核となる構造部分を分解した斜視図
【図６】本発明のコケ抜き防止の拡大平面図
【符号の説明】
１．  回転円板
２．  滑り止め部
３ａ．幅寄せ部
３ｂ．幅寄せ部
４．  落とし部
５ａ．車
５ｂ．車
６．  回転軸
７．  集め部
８．  ハンドル
９．  補助蓋
１０．補助車
１１．おさえ部
１２．草導入傾斜部
１３．幅軸
１４．おさえ壁面
１５．回転補助羽根
１６．回転ギア
１７．コケ抜き防止
１８．ささえ棒
１９．ローラー
２０ａ．磨耗防止部
２０ｂ．磨耗防止部
２１．おさえ部底面
２２．切除刃
【図１】
0003643933.tif 000002
【図２】
0003643933.tif 000003
【図３】
0003643933.tif 000004
【図４】
0003643933.tif 000005
【図５】
0003643933.tif 000006
【図６】
0003643933.tif 000007